(57)【要約】【課題】  上蓋を開けた時に、上蓋のインナーリングに付着した内容液が飛散するのを防止することができるヒンジキャップを提供すること。【解決手段】  容器本体の口部に装着するキャップ本体と、ヒンジを介してキャップ本体と連設された上蓋とからなるヒンジキャップであって、キャップ本体は、上蓋を係止する蓋係止部と、注出口の周囲に立設された注出筒とからなり、上蓋は、頂壁と、その周縁に垂設された側周壁とからなり、側周壁には、上蓋を開閉する摘み部が形成され、側周壁の内周の下端部には、キャップ本体の蓋係止部と係止する縮径突条が設けられ、頂壁の裏面には、キャップ本体の注出筒の内周面をシールするインナーリングが垂設され、インナーリングの先端には、注出側の所定円弧範囲にわたってスカート部が延設されることを特徴とする。【選択図】  図１
2014148326.tif 000002
【特許請求の範囲】
【請求項１】
容器本体の口部に装着するキャップ本体と、ヒンジを介してキャップ本体と連設された上蓋とからなるヒンジキャップであって、
キャップ本体は、キャップ内と容器本体の内部とを密封可能な隔壁と、隔壁の周縁に連設して垂下し、容器本体の口部の内周に嵌合する内筒と、隔壁の周縁に内筒の上端部とともに連設する基壁と、基壁の外周縁に連設し口部の外周に嵌合する外筒と、基壁上に設けられ上蓋に係止して閉蓋状態を保持する環状の蓋係止部と、隔壁の注出口の周囲に立設された注出筒とからなり、
上蓋は、頂壁と、頂壁の周縁に垂設された側周壁とからなり、
側周壁のヒンジと反対側の外周には、上蓋を開閉する摘み部が形成され、
側周壁の内周の下端部には、キャップ本体の蓋係止部と係止する環状の縮径突条が設けられ、
頂壁の裏面には、キャップ本体の注出筒の内周面をシールする筒状のインナーリングが垂設され、
インナーリングの先端には、ヒンジと反対側の注出側の所定円弧範囲にわたってスカート部が延設されることを特徴とするヒンジキャップ。
【請求項２】
インナーリングのスカート部の内面には、付着した内容液を保持可能な縦リブが設けられていることを特徴とする請求項１記載のヒンジキャップ。
【請求項３】
インナーリング先端におけるスカート部を延設する円弧範囲は、少なくとも摘み部の形成範囲であり、注出筒の先端部は、ヒンジ側が低く、ヒンジと反対側の注出側が高くなっていることを特徴とする請求項１または２記載のヒンジキャップ。
【発明の詳細な説明】
【技術分野】
【０００１】
本発明は、容器本体の口筒部に装着されるキャップ本体にヒンジを介して上蓋が連設されたヒンジキャップに関し、より詳しくは、上蓋を開くときに内容液が飛散するのを防止できるヒンジキャップに関するものである。
【背景技術】
【０００２】
従来、液状食品などの内容液が充填された容器の口筒部には、内容液を注出可能な注出筒を有するヒンジキャップが装着されている。
ヒンジキャップとしては、容器の口筒部外周に嵌合させた周壁上端縁より頂壁を延設するとともに、頂壁中央より注出筒を立設し、更に、注出筒内の頂壁にプルリング付きの切り取り蓋を切断可能に設けたキャップ本体と、キャップ本体の後部上端に後部下端をヒンジで回動可能に連結して本体上面を開閉可能に被覆した上蓋とからなるものが知られている。
キャップ本体の注出筒は、一般にその上端部がラッパ状に拡開し、また、その拡開部分内側面に上蓋裏面より垂設したインナーリングの下端縁を圧接してシール性を付与している。
【０００３】
ヒンジキャップを有する容器の使用に当っては、まず、上蓋を開き、プルリングを指で引き上げることによりキャップ本体の切り取り蓋を切断除去し、これにより開口した注出口から注出筒を介して内容液を注出するようになっている。
このように注出口を開口した後、ヒンジキャップの上蓋を閉じ、容器を倒置したり、振ったりすると、注出筒をシールする上蓋裏面から垂設されたインナーリングの先端や内面に内容液が付着するため、つぎに上蓋を開いた時、インナーリングに付着した内容液が飛散したり、液垂れして、ヒンジキャップの上蓋内やキャップ本体の頂壁上面を汚すことがあり、見た目も悪く、非衛生でもあった。
【０００４】
そこで、内容液の飛散や液垂れを防止するために様々な技術が検討されている（例えば、特許文献１参照）。
特許文献１では、蓋体頂壁の裏面より垂設され、且つ、内方へ湾曲する下端縁部をラッパ先端状部内側面に液密に圧接させた嵌合筒と、該嵌合筒内に垂設するとともに、後方へ突出湾曲する平面視円弧状をなし且つ下端縁が縮径方向へ湾曲する複数の円弧状壁とから構成してなる液垂れ防止機構を設けたことにより、蓋体頂壁の裏面に付着した液が開蓋等の際に垂れることを防止する液体抽出キャップが提案されている。
【先行技術文献】
【特許文献】
【０００５】
【特許文献１】特開平９−１２０４９号公報
【発明の概要】
【発明が解決しようとする課題】
【０００６】
しかしながら、上記特許文献１記載のヒンジキャップでは、蓋体を開けた際の液垂れは防止できるものの、蓋体（上蓋）を開いた時に蓋体の裏面から垂設された嵌合筒（インナーリング）の先端に付着した液が飛散して、結局は、蓋体（上蓋）の裏面やキャップ本体周りを汚すという問題があった。
【０００７】
そこで、上蓋を開いた時、インナーリングに付着した内容液が飛散する原因を検討したところ、つぎのことがわかった。
まず、上蓋を開くと、それまで上蓋とキャップ本体との閉蓋状態を保持していた蓋係止機構が急に解放され、この時に、上蓋がわずかに変形することにより振動を起こす。そして、この上蓋が振動することにより上蓋の裏面から垂設されたインナーリングも振動し、インナーリングの先端に付着した内容液が飛散することになる。
【０００８】
本発明は、上記問題を解決することを課題とし、上蓋を開けた時に内容液の飛散を防止するようにしたヒンジキャップを提供することを目的とする。
【課題を解決するための手段】
【０００９】
本発明は、上記の課題を解決するため、ヒンジキャップとして、容器本体の口部に装着するキャップ本体と、ヒンジを介してキャップ本体と連設された上蓋とからなるヒンジキャップであって、キャップ本体は、キャップ内と容器本体の内部とを密封可能な隔壁と、隔壁の周縁に連設して垂下し、容器本体の口部の内周に嵌合する内筒と、隔壁の周縁に内筒の上端部とともに連設する基壁と、基壁の外周縁に連設し口部の外周に嵌合する外筒と、基壁上に設けられ上蓋に係止して閉蓋状態を保持する環状の蓋係止部と、隔壁の注出口の周囲に立設された注出筒とからなり、上蓋は、頂壁と、頂壁の周縁に垂設された側周壁とからなり、側周壁のヒンジと反対側の外周には、上蓋を開閉する摘み部が形成され、側周壁の内周の下端部には、キャップ本体の蓋係止部と係止する環状の縮径突条が設けられ、頂壁の裏面には、キャップ本体の注出筒の内周面をシールする筒状のインナーリングが垂設され、インナーリングの先端には、ヒンジと反対側の注出側の所定円弧範囲にわたってスカート部が延設されることを特徴とする構成を採用する。
【００１０】
ヒンジキャップの具体的実施形態として、インナーリングのスカート部の内面には、付着した内容液を保持可能な縦リブが設けられていることを特徴とする構成を採用する。
また、インナーリング先端におけるスカート部を延設する円弧範囲は、少なくとも摘み部の形成範囲であり、注出筒の先端部は、ヒンジ側が低く、ヒンジと反対側の注出側が高くなっていることを特徴とする構成を採用する。
【発明の効果】
【００１１】
本発明のヒンジキャップは、キャップ本体の注出筒をシールするインナーリングのヒンジと反対側の注出側の先端にスカート部を延設したことにより、上蓋を開けた時に、インナーリングと注出筒内面の当接が徐々に解放されることで、インナーリング自体の振動を減衰することができ、上蓋を開けた時にインナーリングの先端に付着した内容液の飛散を防止することができる。
また、インナーリングのスカート部には、縦リブを設けたことにより、スカート部の内面に付着した内容液が垂れるのを防止することができる。
そして、本実施例では、インナーリング先端のスカート部を延設する円弧範囲を少なくとも摘み部の形成範囲にしているから、上蓋を開いた際にインナーリングに付着した液が注出側に飛散するのを防いで、上蓋の裏面やキャップ本体周辺を清潔に保つことができる。
【図面の簡単な説明】
【００１２】
【図１】本発明の実施例であるヒンジキャップの閉蓋状態を示す断面側面図である。
【図２】本発明の実施例であるヒンジキャップの開蓋状態を示す図であり、（ａ）は上面図、（ｂ）は断面側面図である。
【図３】本発明の実施例であるヒンジキャップの開蓋状態を示す下面図である。
【図４】本発明の実施例であるヒンジキャップを開いた時の注出筒とインナーリングとの当接関係を示す拡大図であり、（ａ）は当接されている時、（ｂ）は当接が解放された時の拡大図である。
【発明を実施するための形態】
【００１３】
次に、本発明のヒンジキャップについて、実施例を示した図面を参照して説明する。
【実施例】
【００１４】
図１において、Ａはキャップ本体、ＢはヒンジＣによってキャップ本体Ａに連設された上蓋、Ｄは容器本体である。
キャップ本体Ａを装着する容器本体Ｄの口部１には、環状に突出する係合突条２と、その下方に続くくびれ部３が設けられている。
【００１５】
図１に示すように、キャップ本体Ａは、容器本体Ｄ内を密封する隔壁４と、隔壁４の周縁に連設して垂下し、容器本体Ｄの口部１の内周に嵌合する内筒５と、隔壁４の周縁に内筒５の上端部とともに連設する基壁６と、基壁６の外周縁に連設し口部１の外周に嵌合する外筒７と、基壁６の上端外周面に設けられ上蓋Ｂに係止して閉蓋状態を保持する環状の蓋係止部８と、外筒７の下端外周で一定の間隔をおいて連設され、上端外周の所定個所にヒンジＣを連設する外周筒部９と、隔壁４上に立設された注出筒１０とからなっている。
注出筒１０は、注出液を案内するために、本実施例では、ヒンジＣ側が低く、ヒンジＣと反対側の注出側が高く形成され、その先端部１０ａは、ラッパ状に広がっている。
【００１６】
隔壁４は、注出筒１０の内側に形成され、破断可能な薄肉弱化部１１が設けられ、薄肉弱化部１１は、破断されたときに容器内と連通する注出口Ｓを形成する除去部１２を画成している。
除去部１２のヒンジＣ側には、支柱１３を介してプルリング１４が連設され、プルリング１４のヒンジＣと反対側の下部には、指先への接圧をやわらかくするために緩衝部１５が形成されている。
また、本実施例では、薄肉弱化部１１を破断して開封するまで容器内部を密閉する隔壁４としたが、予め注出口Ｓが開口された隔壁４であってもかまわない。
【００１７】
蓋係止部８は、基壁６の上端外周面に突出する膨出部１６として形成され、膨出部１６に続く下方には係合凹部１７が形成されている。
外筒７は、内周には容器本体Ｄのくびれ部３に嵌合する環状の嵌合突条１８が形成され、下端部外周には、ヒンジＣの反対側に設けられた連結片１９と、間隔をおいて複数配設された破断可能な弱化片２０とを介して外周筒部９が連設されており、外周筒部９の上端にはヒンジＣを介して上蓋Ｂが連設されている。
内筒５の外周面と外筒７の内周面、および基壁６の下面によって形成される環状溝部に容器本体Ｄの口部１を嵌合することによって、キャップ本体Ａが容器本体Ｄに装着されるようになっている。
【００１８】
図１〜図３に示すように、上蓋Ｂは、頂壁２１と、頂壁２１の周縁に垂設された側周壁２２とからなり、側周壁２２のヒンジＣと反対側の注出側の外周には、上蓋Ｂを開閉する際に手指をかける摘み部２３が円弧状に形成されている。
図１に示すように、側周壁２２は、摘み部２３が設けられた近傍を薄肉状部２２ａとして形成している。
側周壁２２の内周の下端部には、蓋係止部８の係合凹部１７に係合する環状の縮径突条２４が設けられている。
【００１９】
頂壁２１の裏面には、キャップ本体Ａの注出筒１０の内周面１０ｂをシールするインナーリング２５が垂設されている。
図２（ｂ）に示すように、インナーリング２５は、ヒンジＣ側が注出筒１０の先端部１０ａの高さに応じて長くなっており、これに対して注出側が短く形成されている。
図４（ａ）に示すようにインナーリング２５の外周先端には、注出筒１０の内面１０ｂと当接する環状の締め部２５ａが形成されている。
【００２０】
さらに、インナーリング２５の先端には、所定長さに設定された薄肉状のスカート部２６が延設されている。スカート部２６は、インナーリング２５より薄肉に形成され、インナーリング２５のヒンジＣと反対側の注出側のみに設けられており、実施例では、その所定円弧範囲は、約１２０度に設定されているが、６０〜１８０度の範囲に設けられていることが好ましく、少なくとも円弧状に形成された摘み部２３の形成範囲に設けられていればよい。インナーリング２５と注出筒１０の形状に応じて、その好ましい円弧範囲は変更し得るものである。
なお、摘み部２３の形状については、適宜変更することができ、上蓋Ｂの側周壁２２を切り欠いた形状（凹部等）としてもよい。
また、スカート部２６の内側には、上下方向にわたり縦リブ２７が周方向に等間隔をおいて形成されている。  
【００２１】
次に、本実施例の使用態様と作用効果について説明する。
本実施例のヒンジキャップは、図１に示す閉蓋状態で容器本体Ｄの口部１に打栓して装着される。
打栓工程は、内筒５と外筒７との間に形成される環状溝部に容器本体Ｄの口部１を当てがい、上蓋Ｂの上から押圧力が加えられ、外筒７の嵌合突条１８が口部１の係合突条２を乗り越えてくびれ凹部３に嵌合し、口部１が、内筒５の外周と外筒７の内周、および基壁６とによって挟持され装着される。
【００２２】
本実施例のキャップを装着した容器を使用するには、図２（ｂ）に示すように上蓋Ｂを開いて、プルリング１４を上方に引っ張り、支柱１３を介して隔壁４の除去部１２を引き上げ、薄肉弱化部１１を切断して隔壁４から除去部１２を切り離して抜栓し、図２（ａ）に示すように、注出口Ｓを開口する。
プルリング１４のヒンジＣと反対側の下部には、薄板状の緩衝部１５を設けているので、手指が当たると緩衝部１５が容易に屈曲して、手指への接圧をやわらかくすることができる。
【００２３】
容器を傾けて内容液を注出する際には、注出口Ｓから流出した液は注出筒１０の内周面に案内されてラッパ状の先端部１０ａから注出される。
図１に示すように、容器の使用を終えた後、上蓋Ｂを閉じると、側周壁２２の縮径突条２４がキャップ本体Ａの蓋係止部８の膨出部１６を乗り越え係合凹部１７に嵌合して、閉蓋状態に戻る。
【００２４】
このとき、インナーリング２５の外周に形成された環状の締め部２５ａは、注出筒１０の内周面１０ｂと当接して周方向に連続したシール部を形成し、当該シール部によって、上蓋Ｂ内は注出口Ｓと連通する空間ａと、注出口Ｓから密封された空間ｂとに区画される。
そのため、容器が倒れたり傾いたりして注出口Ｓから内容液が流出しても、空間ｂ内には液は漏れず、液の付着は空間ａ内に限定される。
ただし、インナーリング２５の内周面や先端には内容液が付着してしまう。
【００２５】
再度容器を使用するために開蓋するときは、図１に示すように、上蓋Ｂの摘み部２３に指をかけて持ち上げると、蓋係止部８の係合凹部１７に係合する環状の縮径突条２４が変形することにより、蓋係止部８の係合凹部１７との係止が解放され、上蓋ＢはヒンジＣを中心に回転させられる。
上蓋Ｂのキャップ本体Ａとの係止が解放される時に、環状の縮径突条２４がわずかに変形することにより、上蓋Ｂに振動が発生する。
同時に、図４（ｂ）に示すように、インナーリング２５外周の締め部２５ａも注出筒１０の内面との当接から解放され、インナーリング２５も振動することになる。
しかしながら、本願発明では、インナーリング２５の注出側だけに先端から延設されたスカート部２６が形成されていることによって、図４（ａ）および（ｂ）に示すように、上蓋Ｂを開けた時に、インナーリング２５と注出筒１０の当接が徐々に解放されることで、インナーリング２５自体の振動が減衰することになり、スカート部２６に付着した液が飛散するのを防止する。
【００２６】
また、側周壁２２は、摘み部２３が形成された近傍を薄肉状部２２ａとしたことにより、上蓋Ｂとキャップ本体Ａの係止を解放する際に、軽い力で開放でき、上蓋Ｂの振動の発生を抑えることが可能である。
したがって、スカート部２６との相乗効果で、さらに内容液の飛散を防止することができる。
さらに、スカート部２６の内側には、上下方向にわたり縦リブ２７が形成されていることから、閉蓋した際に、インナーリング２５の内側や先端に内容液が付着しても、縦リブ２７によって液が保持されて、図２に示すように、開蓋した際に垂れて飛散することがない。
また、スカート部２６に縦リブ２７を形成したことにより、スカート部２６がインナーリング２５よりも薄く形成されても強度低下を抑えることもできる。
【００２７】
これに対して、インナーリング２５のヒンジＣ側は、液が付着していても注出側のように飛散のおそれがないので、スカート部２６を形成する必要はない。
そして、図４（ｂ）に示すように、上蓋Ｂを開蓋し、インナーリング２５が注出筒１０を開口させても、スカート部２６がまだ、注出筒１０の内側に入ったままであるから、スカート部２６の先端に付着した液が飛散することがないという優れた効果を奏する。
【００２８】
また、本実施例のヒンジキャップは、容器を使用した後には容器本体Ｄから分離して廃棄することができる。
上蓋Ｂを開いて外方に引っ張ると、キャップ本体Ａの外筒７と外周筒部９とを連結する弱化片２０が破断して、外周筒部９のヒンジＣ側が外筒７から引き離され、さらに上蓋Ｂを上方に引っ張ると、連結片１９に連結された部分からめくれあがるようにして外筒７を容器本体Ｄの口部１から簡単に外すことができる。
【産業上の利用可能性】
【００２９】
本発明のヒンジキャップは、上蓋を開けた際に、上蓋の裏面から垂設されたインナーリングに付着した液の飛散を少なくし、上蓋の裏面やキャップ本体周辺を汚すこともないから、衛生的な使用環境を必要とする液注出容器のキャップとして広く使用することができ、とくに食用油や液体調味料などの液状食品を充填する容器のキャップとして好適である。
【符号の説明】
【００３０】
Ａ        キャップ本体
Ｂ        上蓋
Ｃ        ヒンジ
Ｄ        容器本体
Ｓ        注出口
１        口部
２        係合突条
３        くびれ凹部
４        隔壁
５        内筒
６        基壁
７        外筒
８        蓋係止部
９        外周筒部
１０        注出筒
１０ａ      先端部
１１        薄肉弱化部
１２        除去部
１３        支柱
１４        プルリング
１５        緩衝部
１６        膨出部
１７        係合凹部
１８        嵌合突条
１９        連結片
２０        弱化片
２１        頂壁
２２        側周壁
２２ａ      薄肉状部
２３        摘み部
２４        縮径突条
２５        インナーリング
２５ａ      締め部
２６        スカート部
２７        縦リブ
【図１】
2014148326.tif 000003
【図２】
2014148326.tif 000004
【図３】
2014148326.tif 000005
【図４】
2014148326.tif 000006